(57)【要約】      （修正有）【課題】乳幼児、子供の洗髪をより安全で快適にし、且つ多種年齢層の使用に適用可能な多機能洗髪マットを提供する。【解決手段】本多機能洗髪マットは、表面に円弧体を設け、且つ傾斜度を有する本体１を含み、該本体の比較的高い一端に頭端１０を形成し、比較的低い一端に尾端１１を形成し、該頭端端縁にもう一辺に向かって傾斜する斜面１５を設け、該尾端末端に支持台３を設ける。該本体両側の円弧体１３は、中央より高く、本体底部に滑り止めを設置する。従って、仰向けに横たわる方式の洗髪方法を提供でき、洗髪水が口鼻に入り、不快感を起こすことを回避し、子供の洗髪に対する恐怖を軽減し、洗髪過程において、子供が身を翻し、滑り落ち、傷つくことを防止でき、且つ本体表面の円弧体は、使用者に快適に横たわった空間を提供でき、洗髪の快楽を享受させることができる。【選択図】図１
0003169276.tif 000002
【実用新案登録請求の範囲】
【請求項１】
本体１及び支持体３を含み、
該本体１は、傾斜度を有する態様を呈し、比較的高い一端に頭端１０を形成し、比較的低い一端に尾端１１を形成し、該頭端１０端縁にもう一辺に向かって傾斜する斜面１５を設け、該本体１は、1つ以上の気体充填孔１２を設置してなり、
該支持台３は、該尾端１１末端に接合される多機能洗髪マット。
【請求項２】
前記本体１表面は、複数の円弧体１３が連接して構成される請求項１に記載の多機能洗髪マット。
【請求項３】
前記本体１両側の円弧体１３は、該本体１中央箇所の円弧体１３より高い請求項２に記載の多機能洗髪マット。
【請求項４】
前記本体１内部は、各円弧体１３に合わせ、仕切りパッド１４を設置し、且つ該本体１上には、各円弧体１３に対応し、気体充填孔１２を設置する請求項２に記載の多機能洗髪マット。
【請求項５】
前記本体１底部は、滑り止め部４を設置する請求項１に記載の多機能洗髪マット。
【請求項６】
前記頭端１０の表面は、ヘッドパッド２を設置する請求項１に記載の多機能洗髪マット。
【請求項７】
前記ヘッドパッド２は、気体充填式である請求項６に記載の多機能洗髪マット。
【請求項８】
前記ヘッドパッド２は、実体式である請求項６に記載の多機能洗髪マット。
【請求項９】
前記本体１の少なくとも一側端に肘掛部５を設置する請求項１に記載の多機能洗髪マット。
【請求項１０】
前記肘掛部５は、実体式である請求項１０に記載の多機能洗髪マット。
【考案の詳細な説明】
【技術分野】
【０００１】
本考案は、洗髪マットに関し、特に、乳幼児、子供の洗髪をより安全、快適にし、且つ多種年齢層の使用に適用できる多機能洗髪マットに関する。
【背景技術】
【０００２】
現代社会経済が急速に発展する状況において、現在の国民の生活水準も絶え間なく向上し、人々が益々清潔及び保養を重視するようになっており、だらしなく汚い様子が個人の印象に影響を及ぼすことがないようにしている。
【０００３】
そのうち、洗髪は、人々の生活において不可欠な清潔動作であり、大人が家で洗髪する時、シャンプー、泡、洗髪の水が目や口等に流れ込むことを回避するため、多くは腰を曲げて頭を低くした姿勢を取り、洗髪する。しかしながら、子供が洗髪する時、しばしば、腰をかがめて頭を低くする姿勢を取らずに、泡が目に流れ込み、洗髪の水が口や鼻に入る状況が発生し、泣いたり、喉が苦しくなったりし、困難を生じ、更には、洗髪を嫌い、拒絶し、洗髪が子供の悪夢となり、父母の苦労となる。
【０００４】
また、生まれてまだ間もない乳児を保護する時、その頚椎が十分に支持力を有していないので、洗髪の過程は、一般に母親が片方の手で乳児の頭部を支え、他方の手で乳児を洗髪するが、洗髪の過程において、母親の両手が濡れて滑り、稀に滑り抜ける状況が発生し、乳児に深刻な障害を与えることとなる。
【０００５】
更に、従来の洗髪マットは、プラスチック又はゴム材質で形成されるので、その感触が硬く、使用者が横たわった時に不快感を生じ、且つ洗髪マットの体積が固定され、収納が容易でなく、空間を占有し、運搬が容易でないという欠点がある。
【０００６】
これに鑑みて、本願の考案者は、長年関連分野に従事した経験に基づき、前記の欠陥に対して深く検討し、前記要求に基づき、積極的に解決の道を追求し、長時間の努力及び多数回の試験を経て、本考案を完成している。
【先行技術文献】
【特許文献】
【０００７】
【特許文献１】登録実用新案第３０２２４８１号公報
【考案の概要】
【考案が解決しようとする課題】
【０００８】
本考案の目的は、乳幼児、子供の洗髪をより安全で快適にし、且つ多種年齢層の使用に適用可能な多機能洗髪マットを提供することにある。
【課題を解決するための手段】
【０００９】
上記の目的に基づき、本考案が記載する多機能洗髪マットは、以下を含む：
【００１０】
本体１であって、該本体１表面は、複数の円弧体１３が接続して構成され、それは、傾斜度を有する態様を呈し、比較的高い一端に頭端１０を形成し、比較的低い一端に尾端１１を形成し、該頭端１０端縁にもう一辺に向かって傾斜する斜面１５を設け、該本体１両側の円弧体１３は、該本体１中央箇所の円弧体１３より高く、且つ該本体１は、1つ以上の気体充填孔１２を設置し、本体１の少なくとも1側端に肘掛部５を設置し、本体１底部に滑り止め部４を設置する。
【００１１】
支持台３であって、それは、該尾端１１末端に接合され、該支持台３は、気体充填式である。
【００１２】
従って、本考案が開示する多機能洗髪マットは、その本体１両側の円弧体１３が中央箇所より高い設計により、子供がひっくり返り、洗髪マット上から滑り落ちることを防止し、且つ気体充填式の円弧体１３は、使用者に快適な感覚を提供でき、支持台３は、使用者が脚部又は臀部を安置することに便利であり、肘掛部５は、使用者が身を起こす又は横たわる時の支持点とすることができ、滑り止め部４は、使用の安全性を向上することができる。
【００１３】
また、本考案は、該本体１内部に各円弧体１３を組み合わせ、仕切りパッドを設置でき、且つ該本体１上は、各円弧体１３に対応し、気体充填孔１２を設置でき、該本体１の頭端１０表面に合わせて頭パッド２を設置する。このように、各円弧体１３間が連通せず、破損し気体漏れが発生した状況において、全体の使用状況に影響を及ぼさず、且つ頭端２は、洗髪水が流れ、使用者の体が濡れることを回避する効果をより確実にすることができる。
【考案の効果】
【００１４】
本考案は、以下の効果を有する：
一、 本考案は、横たえる方式の洗髪方法を提供でき、洗髪時にシャンプー、泡、洗髪水が口鼻に流れ込む、泣き、喉を苦しくする等の不適当な状況の発生を防止することができる。
二、 本考案は、本体両側の円弧体が中央箇所より高い設計により、洗髪過程において子供が身を翻し、洗髪マット上から滑り落ちることを防止し、使用安全氏柄を向上する。
三、 本考案は、頭端の端縁にもう一辺に向かって傾斜する斜面を設置し、使用者が本体に横たわる時、その頭部が該傾斜面を枕とし、後仰状を呈することができ、すすぎ時に水が本体の傾斜に沿って下向きに流れ体を濡らすことを回避することができる。
四、 本考案は、本体の少なくとも一側に肘掛部を設置し、使用者が身を起こすか横たわる時の支持点とし、使用の便利性及び安全性を増加することができる。
五、 本考案は、本体内部に各円弧体にあわせて仕切りパッドを設置し、全体の使用状況に影響を及ぼさずに、その使用寿命及び使用安全性を向上することができる。
六、 本考案が開示する多機能洗髪マットは、気体充填式態様であり、柔軟で快適な特色を有し、且つ気体を抜いた後、収納が容易であり、空間を占有せず、軽く便利な特性は、外出携帯に便利である。
【図面の簡単な説明】
【００１５】
【図１】本考案の第1実施例の立体説明図である。
【図２】本考案の第1実施例の側面説明図である。
【図３】本考案の第1実施例の正面説明図である。
【図４】本考案の第1実施例の成人が実施した説明図である。
【図５】本考案の第1実施例の子供が実施した説明図である。
【図６】本考案の第２実施例の立体説明図である。
【図７】本考案の第２実施例の正面断面説明図である。
【図８】本考案の第３実施例の立体説明図である。
【考案を実施するための形態】
【００１６】
本考案の目的、効果、特徴及び構造をより分かり易くするため、好適実施例を挙げ、図面に併せて以下に説明する。
【００１７】
図１、図２、図３を同時に参照し、図１は、本考案の第1実施例の立体説明図であり、図２は、本考案の第1実施例の側面説明図であり、図３は、本考案の第1実施例の正面説明図である。
【００１８】
図から分かるように、本考案が開示する多機能洗髪マットは、主に以下を含む：
【００１９】
本体１であって、それは、ゴムから形成され、傾斜度を有する態様を呈し、該本体１表面は、複数の円弧体１３が接続して構成され、比較的高い一端に頭端１０を形成し、比較的低い一端に尾端１１を形成する。該頭端１０端縁に該本体１と異なる傾斜方向にもう一辺に向かって傾斜する斜面１５を設ける。該本体１両側端は、それぞれ肘掛部５を設置し、使用者が体を起こし、横たわる時に支持点を持たせ、掴持できるようにする。該本体１の両側の円弧体１３は、該本体１中央箇所の円弧体１３より高く、子供がひっくり返り、滑り落ち、損傷することを防止する。且つ該本体１は、1つ以上の気体充填孔１２を設置し、本体１底部に滑り止め部４を設置し、使用時に洗髪マット全体が浴室中に滑り落ちることを回避し、使用の安全性を向上する。
【００２０】
支持台３であって、それは、該尾端１１の末端に接合され、該支持台３は、気体充填式であり、その内部は、本体１内部と連通し、本体１に気体が充填すると同時に、該支持台３に対して気体充填し、膨張成型させる。該支持台３の主要な効果は、本体１上に横たわった使用者に脚部又は臀部を安置可能にすることである。
【００２１】
従って、本考案は、気体充填式の本体１により、柔軟で快適な洗髪マットを提供し、且つ気体を抜いた後に収納が容易であり、空間を占有せず、その軽く便利な特性は、外出時の携帯に便利である。
【００２２】
図４は、本考案の第1実施例の成人が実施する説明図である。
【００２３】
図に示すように、成人の使用者が洗髪マット構造上に横たわり先発する時、身体は、本体１上にゆったりと横たえることができ、頭部は、傾斜面１５上に安置し、後仰状を呈し、すすぎ時に水が本体１の傾斜度に沿って下向きに流れ、体を濡らすことを回避し、臀部がゆったりと支持台３上に置くことができ、且つ気体充填式の円弧体１３が使用者に快適な感覚を与え、使用者が完全にリラックスして洗髪マット上に横たわり、洗髪を享受できるようにする。
【００２４】
図５は、本考案の第1実施例の子供が実施する説明図である。
【００２５】
図に示すように、子供の使用者が洗髪マット構造上に横たわり、大人に洗髪させる時、子供の身体がゆったりと本体１上に横たわり、頭部が斜面１５上に後仰状を呈し、脚部が支持台３上にゆったりと安置でき、且つ本体１両側の円弧体１３は、中央箇所より高い設計により、子供が身を翻し、洗髪マット上から滑り落ちることを防止でき、従って、本考案は、子供及び大人に便利で安全な洗髪を提供することができる。
【００２６】
図６及び図７を参照し、図６は、本考案の第２実施例の立体説明図であり、図７は、本考案の第２実施例の正面断面説明図である。
【００２７】
本考案の第２実施例は、第１実施例と略同一であり、その差異は、第２実施例において、該本体１内部に各円弧体１３に合わせて、仕切りパッド１４を設置し、且つ該本体１上に各円弧体１３に対応し、気体充填孔１２を設置する。このように、各円弧体１３間が連通せず、破損により気体漏れが発生する状況において、全体の使用状況に影響を及ぼすことがない。
【００２８】
また、使用快適度を増強し、首部に対する支持を強化する為、頭端１０表面にヘッドパッド２を増設し、該ヘッドパッド２は、気体充填式又は実体式であることができる。気体充填式のヘッドパッド２は、該本体１と同材質であり、その内部が本体１と連通史、本体１に気体が充填すると同時に、該ヘッドパッド２に対し気体充填し、膨張成型させることができる。実体式のヘッドパッド２は、防水外層内に綿の類の充填物を充填する。本考案の説明図において、気体充填式の態様を呈する。該ヘッドパッド２の設置により、洗髪水が流れ、使用者の身体を濡らすことを回避する効果をより確実にすることができる。
【００２９】
更に、本考案の洗髪マットは、異なる大きさの寸法に形成することができ、使用者に個人の家庭の浴室の空間の大きさに応じて選択させることができ、多元化した購買の選択を提供することができる。使用空間が許す状況において、大人の使用者が比較的大きな寸法の洗髪マットを選択し、使用時に脚部を支持台３上に置き、前進を適当な支持を与え、快適な感覚を向上させることができる。
【００３０】
図８は、本考案の第３実施例の立体説明図である。
【００３１】
本考案の第３実施例は、第２実施例と略同一であり、その際は、第３実施例において、該本体１及び支持台３の内部空間は、連通せず、且つ支持台３上に気体充填孔３０を設置する。これにより、支持台３を使用しない時、気体を充填する必要がなく、洗髪マットの占有空間を減少することができる。
【００３２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３３】
１  本体
１０  頭端
１１  尾端
１２  気体充填孔
１３  円弧体
１４  仕切りパッド
１５  斜面
２  ヘッドパッド
３  支持台
３０  気体充填孔
４  滑り止め部
５  肘掛部
【図１】
0003169276.tif 000003
【図２】
0003169276.tif 000004
【図３】
0003169276.tif 000005
【図４】
0003169276.tif 000006
【図５】
0003169276.tif 000007
【図６】
0003169276.tif 000008
【図７】
0003169276.tif 000009
【図８】
0003169276.tif 000010
【手続補正書】
【提出日】平成23年3月18日(2011.3.18)
【手続補正１】
【補正対象書類名】実用新案登録請求の範囲
【補正対象項目名】全文
【補正方法】変更
【補正の内容】
【実用新案登録請求の範囲】
【請求項１】
本体１及び支持体３を含み、
該本体１は、マットレス状であって傾斜度を有する態様を呈し、比較的高い一端に頭端１０を形成し、比較的低い一端に尾端１１を形成し、該頭端１０端縁に、尾端１１と反対の方向に向かって傾斜する斜面１５を設け、該本体１は、1つ以上の気体充填孔１２を設置してなり、
該支持台３は、該尾端１１末端に接合される多機能洗髪マット。
【請求項２】
前記本体１表面は、複数の凸方向の円弧体１３が連接して構成される請求項１に記載の多機能洗髪マット。
【請求項３】
前記本体１の長手方向両側の円弧体１３は、該本体１中央箇所の円弧体１３より高い請求項２に記載の多機能洗髪マット。
【請求項４】
前記本体１内部は、各円弧体１３に合わせ、仕切りパッド１４を設置し、且つ該本体１上には、各円弧体１３に対応し、気体充填孔１２を設置する請求項２に記載の多機能洗髪マット。
【請求項５】
前記本体１底部は、滑り止め部４を設置する請求項１に記載の多機能洗髪マット。
【請求項６】
前記頭端１０の表面は、ヘッドパッド２を設置する請求項１に記載の多機能洗髪マット。
【請求項７】
前記ヘッドパッド２は、気体充填式である請求項６に記載の多機能洗髪マット。
【請求項８】
前記ヘッドパッド２は、実体式である請求項６に記載の多機能洗髪マット。
【請求項９】
前記支持体３は、気体充填式である請求項１に記載の多機能洗髪マット。
【請求項１０】
前記本体１の少なくとも一側端に肘掛部５を設置する請求項１に記載の多機能洗髪マット。
【請求項１１】
前記肘掛部５は、実体式である請求項１０に記載の多機能洗髪マット。
【手続補正書】
【提出日】平成23年5月24日(2011.5.24)
【手続補正１】
【補正対象書類名】実用新案登録請求の範囲
【補正対象項目名】全文
【補正方法】変更
【補正の内容】
【実用新案登録請求の範囲】
【請求項１】
本体１及び支持体３を含み、
該本体１は、マットレス状であって傾斜度を有する態様を呈し、比較的高い一端に頭端１０を形成し、比較的低い一端に尾端１１を形成し、該頭端１０端縁に、尾端１１と反対の方向に向かって傾斜する斜面１５を設け、該本体１は、1つ以上の気体充填孔１２を設置してなり、
該支持体３は、該尾端１１末端に接合される多機能洗髪マット。
【請求項２】
前記本体１表面は、複数の半円柱体１３が長手方向に沿って配置されてなる請求項１に記載の多機能洗髪マット。
【請求項３】
前記本体１の長手方向両側の半円柱体１３の高さは、該本体１中央箇所の半円柱体１３より高いことを特徴とする請求項２に記載の多機能洗髪マット。
【請求項４】
前記本体１内部は、各半円柱体１３に合わせ、仕切りパッド１４を設置し、且つ該本体１上には、各半円柱体１３に対応し、気体充填孔１２を設置する請求項２に記載の多機能洗髪マット。
【請求項５】
前記本体１底部は、滑り止め部４を設置する請求項１に記載の多機能洗髪マット。
【請求項６】
前記頭端１０の表面は、ヘッドパッド２を設置する請求項１に記載の多機能洗髪マット。
【請求項７】
前記ヘッドパッド２は、気体充填式である請求項６に記載の多機能洗髪マット。
【請求項８】
前記ヘッドパッド２は、実体式である請求項６に記載の多機能洗髪マット。
【請求項９】
前記支持体３は、気体充填式である請求項１に記載の多機能洗髪マット。
【請求項１０】
前記本体１の少なくとも一側端に肘掛部５を設置する請求項１に記載の多機能洗髪マット。
【請求項１１】
前記肘掛部５は、実体式である請求項１０に記載の多機能洗髪マット。